(57)【要約】【課題】  ゴム風船の口部から不用意に脱落しない吹込口構造を提供することである。また、吹込口構造を二分割した場合も両者が不用意に分離しない結合構造を開示することも本発明の目的の一つである。【解決手段】  ゴム風船の口部に緊密に挿入される円筒状の吹込口構造であって、外周にフランジを２以上設け、フランジ間の凹部を前記口部の引っ掛かりとすると共に、前記フランジのうちゴム風船の前記口部に挿入されるフランジは他のフランジよりも大径に形成してなる。また、少なくとも口部挿入側の最前のフランジを大径とする。さらにゴム風船の口部に緊密に挿入される円筒状の吹込口構造であって、軸方向に二分割してなり、両部材を嵌め殺しとすることもある。また、二分割された両部材は、一方に返し爪を設け、該返し爪を他方の部材に係止挿入可能に構成して嵌め殺しとする。【選択図】        図１
2005124623.tif 000002
【特許請求の範囲】
【請求項１】
ゴム風船の口部に緊密に挿入される円筒状の吹込口構造であって、外周にフランジを２以上設け、フランジ間の凹部を前記口部の引っ掛かりとすると共に、前記フランジのうちゴム風船の前記口部に挿入されるフランジは他のフランジよりも大径に形成してなることを特徴とする飛行ゴム風船の吹込口構造。
【請求項２】
少なくとも口部挿入側の最前のフランジを大径とした請求項１記載の飛行ゴム風船の吹込口構造。
【請求項３】
ゴム風船の口部に緊密に挿入される円筒状の吹込口構造であって、軸方向に二分割してなり、両部材を嵌め殺しとしたことを特徴とする飛行ゴム風船の吹込口構造。
【請求項４】
二分割された両部材は、一方に返し爪を設け、該返し爪を他方の部材に係止挿入可能に構成して嵌め殺しとした請求項３記載の飛行ゴム風船の吹込口構造。
【請求項５】
請求項１または２に記載の構成を兼ね備えてなる請求項３または４記載の飛行ゴム風船の吹込口構造。
【発明の詳細な説明】
【技術分野】
【０００１】
この発明は、ゴム風船の口部に適用され、風船に空気を注入し、また注入空気の噴出により風船を安定して飛翔させるための吹込口構造に関するものである。
【背景技術】
【０００２】
従来から玩具として、また野球などの応援グッズとして、ゴム風船の口部にプラスチック製の円筒状吹込部材を挿入してなる飛行ゴム風船（俗にジェット風船ということもある）が広く知られている。前記円筒状吹込部材は、ゴム風船の口部を常時開口して空気を注入する機能を発揮すると共に、注入空気の排出口としても機能して、音を発したり安定してゴム風船を飛翔させるものである。
【０００３】
一般的に円筒状吹込部材は、ゴム風船の口部に緊密に挿入される径の中空円筒部材の外周にフランジを２つ設け、該フランジ間の凹部にゴム風船の口部を引っ掛けて使用するものである。
【０００４】
一方、特許文献１や特許文献２にはフランジを３つ以上設け、結果、凹部を２以上とすることにより、ゴム風船の口部の引っ掛かりに予備を設け、円筒状吹込部材の不用意な脱落を防止して、空気注入時の誤飲や風船飛翔時の脱落を回避しようとするものがある。
【０００５】
【特許文献１】実公昭４７−３５８９４号公報
【特許文献２】実公昭５６−４０７３号公報
【発明の開示】
【発明が解決しようとする課題】
【０００６】
しかしながら、上記特許文献に開示の従来技術にあっては、複数あるフランジの径が全て同一であるため、そのうちの一つからゴム風船の口部が外れれば、同じ条件で他のフランジとの引っ掛かりも解除され、円筒状吹込部材のより確実な脱落防止を期待することができないという課題がある。
【０００７】
ところで、円筒状吹込部材の外形は大凡上述したようなものであるが、一方は逆止弁、他方は笛機能というように、その上下口の形状を変えているものがある。このような場合、成型上の理由から、円筒状吹込部材を上下二分割にし、両者を嵌め合わせるなどして一体的に組み立てる手段が採られている（例えば特許第３３８５２５７号公報参照）。しかしながら、その嵌め合わせは凸条と凹溝による係止構造であるため、比較的簡単に両者が分離するという課題がある。上下部材が分離すれば、部材の誤飲したり飛翔に支障を来たすといった問題があることはもちろんである。
【０００８】
本発明は上述した課題に鑑みなされたもので、その目的とするところは、ゴム風船の口部から不用意に脱落しない吹込口構造を提供することである。また、吹込口構造を二分割した場合も両者が不用意に分離しない結合構造を開示することも本発明の目的の一つである。
【課題を解決するための手段】
【０００９】
上述した目的を達成するために本発明では、ゴム風船の口部に緊密に挿入される円筒状の吹込口構造であって、外周にフランジを２以上設け、フランジ間の凹部を前記口部の引っ掛かりとすると共に、前記フランジのうちゴム風船の前記口部に挿入されるフランジは他のフランジよりも大径に形成するという手段を用いた。この手段によれば、フランジ間の凹部をゴム風船の口部の引っ掛かりとして機能させることは従来技術と同じであるが、ゴム風船の口部に挿入されるフランジを大径に形成しているため、口部からの脱落防止機能が高まる。なお、大径フランジは少なくとも口部挿入側の最前に位置するフランジに適用するという手段も用いる。
【００１０】
他方、本発明ではこのような円筒状の吹込口構造を軸方向に二分割し、この二分割した両部材を嵌め殺しとする手段も用いる。吹込口部材を二分割することによって、上下口の形状を任意に設定でき、また嵌め殺しとすることによって、組み立て後に分割部材の不用意な分離を防止することができる。より具体的には、二分割された両部材は、一方に返し爪を設け、該返し爪を他方の部材に係止挿入可能に構成して嵌め殺しとすることができる。
【００１１】
なお、この二分割構造に、大径フランジを設ける手段を併用することによって、両者の利点を備えた実用的な飛行ゴム風船の吹込口構造を提供することはもちろんである。
【発明の効果】
【００１２】
上述のように本発明では、ゴム風船の口部に緊密に挿入される円筒状の吹込口構造であって、外周にフランジを２以上設け、フランジ間の凹部を前記口部の引っ掛かりとすると共に、前記フランジのうちゴム風船の前記口部に挿入されるフランジは他のフランジよりも大径に形成したので、口部からの脱落防止機能が高まり、吹込部材の誤飲等を回避することができる。
【００１３】
また円筒状の吹込口構造を軸方向に二分割し、この二分割した両部材を嵌め殺しとしたので、組み立て後に分割部材の不用意な分離を防止することができ、これまた吹込部材の誤飲等をより有効に回避することができる。
【発明を実施するための最良の形態】
【００１４】
以下、本発明の好ましい実施の形態を添付した図面に従って説明する。図１は、本発明の実施形態の一つを示したものであって、ゴム風船Ｆの口部Ｋに緊密に挿入される中空の円筒状部材１の外周に大小二つのフランジ２、３を設け、その間の凹部４を前記口部Ｋの引っ掛かりとしている。フランジ２、３のうち、口部Ｋに挿入される側のフランジ３については、他方のフランジ２よりも大径に形成し、引っ掛かり効果を高めている。
【００１５】
なお、両フランジ２、３の径は適用するゴム風船Ｆの口部Ｋの径やその伸縮率に応じて変更されるため、特に限定するものではないが、口部Ｋは大径側のフランジ３を回り込んで凹部４に係止されるため、このとき口部Ｋの回り込んだ部分が破れないようにする必要はある。
【００１６】
次に図２には、本発明の他の実施形態を示したもので、軸方向に二分割した吹込口構造を示している。そして、分割部材は嵌め殺しによって一体的に組み立てられるのであるが、その詳細は図３に示したように、一方の分割部材５の内周５ａに係止溝５ｂを形成する一方、他方の分割部材６には前記分割部材５に挿入可能で、先端に返し爪６ａを形成した嵌合部６ｂを設けている。このような二分割構造の吹込部材によれば、嵌合部６ｂの挿入時に返し爪６ａが弾性的に内向きに変形し、挿入完了後、該返し爪６ａが係止溝５ｂに弾性的に係合して、嵌め殺しの状態となる。
【００１７】
なお、上述した二つの実施形態の構造は併用することができる。この併用によって、吹込部材の上下口をより多彩なものとすることができるとと共に、大径フランジ２による引っ掛かり効果および嵌め殺し効果によって、吹込部材の脱落防止効果がより一層高まることはもちろんである。
【図面の簡単な説明】
【００１８】
【図１】本発明の一実施形態に係る吹込口構造の断面図
【図２】本発明の他の実施形態に係る吹込口構造の外観図
【図３】この他の実施形態に係る吹込口構造の要部断面図
【符号の説明】
【００１９】
１  中空の円筒状部材
２  フランジ（小径側）
３  フランジ（大径側）
４  凹部
５  一方の分割部材
５ｂ  係止溝
６  他方の分割部材
６ａ  返し爪
【図１】
2005124623.tif 000003
【図２】
2005124623.tif 000004
【図３】
2005124623.tif 000005